(57)【要約】【課題】便座に通電し暖めているとき、便座表面からの放熱を便蓋でカバーしきれなく、無駄な電力を消費していたことを解消するトイレ装置を提供する。【解決手段】便器１の後端部上に横長に設けるトイレ機能内蔵のトイレ本体と、トイレ本体に後端部を回転可能に設け、便器上に位置する倒立自在な便座２と、トイレ本体に後端部を回転可能に設け、少なくとも便器および便座の上方を覆う倒立自在な便蓋３とを備え、便蓋は少なくとも便座３の外周側面を覆う構成にしてなるトイレ装置である。便蓋により、便座が暖房用便座である場合に、便座外周側面からの無駄な放熱を防止する。【選択図】  図３
2004321203.tif 000002
【特許請求の範囲】
【請求項１】
便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆う構成にしてなるトイレ装置。
【請求項２】
便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆うとともに、便蓋上面に便蓋外周部を残して窪み部を形成し、前記窪み部に蓋パネルを嵌め込んで取付けてなるトイレ装置。
【請求項３】
便蓋と蓋パネルの色をそれぞれ異ならせてなる請求項２に記載のトイレ装置。
【請求項４】
蓋パネルは半透明としてなる請求項２または３に記載のトイレ装置。
【請求項５】
便蓋と蓋パネルとの間に発光体を設けてなる請求項４に記載のトイレ装置。
【請求項６】
便蓋と蓋パネルを同時に成形して多色に形成してなる請求項２に記載のトイレ装置。
【請求項７】
蓋パネルは便蓋の窪み部に嵌め込んで、接着材で貼り付ける、またはネジで取付ける、または前記蓋パネルの突起部を前記窪み部に貫通して潰し広げる、または前記蓋パネルの爪を前記窪み部に貫通して引っ掛ける等のいずれかの構成で取付けてなる請求項２〜５のいずれかに記載のトイレ装置。
【請求項８】
便蓋は枠状の便蓋外周体と前記便蓋外周体に囲まれた蓋パネルで形成し、前記便蓋外周体の一部に切断部と内周側面部に溝を設け、蓋パネルの外周側面部に前記溝に嵌る凸部を設け、前記切断部は溶着することにより、前記切断部より便蓋外周体を押し広げて前記溝に前記凸部を嵌め込んだ前記蓋パネルを固定してなる請求項２〜５のいずれかに記載のトイレ装置。
【請求項９】
便蓋と蓋パネルを同じ種の材料で形成し、前記蓋パネルを前記便蓋に溶着して取付けてなる請求項２〜５のいずれかに記載のトイレ装置。
【請求項１０】
便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆うとともに、前記便蓋は便蓋外周体と前記便蓋外周体に裏側から嵌め込んだ蓋パネルと前記便蓋外周体に取付け、前記蓋パネルを固定する補強兼用の裏蓋パネルとで形成し、さらに前記蓋パネルと裏蓋パネルの間に発光体を設け、かつ前記便蓋外周体と前記蓋パネルと前記裏蓋パネルの色をそれぞれ異ならせてなるトイレ装置。
【発明の詳細な説明】
【０００１】
【発明の属する技術分野】
本発明は、便座およびその便蓋を備えたトイレ装置に関する。
【０００２】
【従来の技術】
現在、電化製品全般に省エネ性の向上が求められている。その一つとしてトイレ装置における省エネ性の向上も求められている。その一方でデザインの意匠性も重視されている。従来この種のトイレ装置といえば、便座および便蓋およびトイレ本体の一部または全部が透明または半透明な合成樹脂で成形されており、特に便蓋は一枚の略平板で成形されているものがあった（例えば特許文献１参照）。
【０００３】
図１２は、前記特許文献１に記載された従来のトイレ装置を示すものであり、便座１０１、その便蓋１０２、そして便座１０１と便蓋１０２の後端部を軸で支持して開閉自在に取り付けたトイレ本体１０３を備えている。特に便蓋１０２は一枚の略平板で成形されている。便座１０１、便蓋１０２、トイレ本体１０３は、一部又は全部が透明または半透明でオレンジや、青、緑等に着色されている合成樹脂で成形されており、特に便蓋１０２は一枚の略平板で形成され、図１３に示すように便器１００および便座１０１の上方を覆うだけの大きさである。
【０００４】
従って、意匠性に優れていても便蓋１０２は一枚の略平板で成形され、倒して便器１００および便座１０１の上方を覆っている状態では、図１３に示すように便座１０１の上面に乗っているだけとなり、便座１０１に埋設してある電気ヒータ等の暖房用ヒータ１０４に通電し、便座１０１を暖めているとき、便座１０１の外周側面の表面から外方へ放熱が起こり、無駄な電力を消費していた。
【０００５】
【特許文献１】
特開２００１−２１２０２７号公報（第１項図１）
【０００６】
【発明が解決しようとする課題】
上記従来の技術の問題点に鑑み、本発明が解決しようとする課題は、便座からの無駄な放熱を防止し省エネルギーを図ったトイレ装置を提供することにある。
【０００７】
【課題を解決するための手段】
上記目的を達成するために本発明は、便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆う構成にしたもので、便座が電気ヒータを使用した暖房用便座である場合、便座外周側面からの無駄な放熱を防ぎ、かつ発熱体の容量も小さくできて省エネルギーを図るとともに、確実に暖房が得られる。
【０００８】
また本発明は、便器および便座の上方を覆う倒立自在な便蓋は少なくとも便座の外周側面を覆うだけでなく、便蓋上面に便蓋外周部を残して窪み部を形成し、前記窪み部に蓋パネルを嵌め込んで取付けて構成しているので、便座外周側面からの無駄な放熱を防ぎ、かつ発熱体の容量も小さくできて省エネルギーを図ることができるのはもちろん、便蓋を強度のある構成で以って簡単にでき、さらに便蓋外周体と蓋パネルの色を異ならせ、便座外周側面も覆うため大きくなった便蓋でありながら、便蓋の形状の引き締まりで装置全体のコンパクト感を強調することができる。
【０００９】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１０】
請求項１記載に係る発明は、便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆う構成にしたものである。
【００１１】
上記実施の形態によれば、便蓋は便器および便座の上方だけでなく、便座の外周側面も覆うので、便座が暖房用便座である場合、便座外周側面からの無駄な放熱を防止することが可能になるとともに、暖房用発熱体の容量を小さくすることも可能になる。
【００１２】
請求項２記載に係る発明は、便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆うとともに、便蓋上面に便蓋外周部を残して窪み部を形成し、前記窪み部に蓋パネルを嵌め込んで取付けたトイレ装置である。
【００１３】
上記実施の形態によれば、便蓋は便器および便座の上方だけでなく、便座の外周側面も覆うので、便座が暖房用便座である場合に、便座外周側面からの無駄な放熱を防止することが可能になるとともに、暖房用発熱体の容量を小さくすることも可能になる。
【００１４】
また便蓋は、便蓋外周部を残して窪ました便蓋上面の窪み部に蓋パネルを嵌め込んで取付けた２部品で構成しているので、便蓋外周部を残した窪み部を有する便蓋と蓋パネルにより、強度のある簡単な構成になり、さらに便蓋外周部と蓋パネルの色を容易に異ならせることが可能になり、便座外周側面を覆うことにより大きくなった便蓋でありながら、その形状の引き締まりで装置全体のコンパクト感を強調することが容易に可能になる。
【００１５】
請求項３記載に係る発明は、便蓋と蓋パネルの色をそれぞれ異ならせているので、この実施の形態により便座の外周側面を覆う大きさの便蓋でありながら、さらにトイレ本体の上面も覆う、さらに大きな形状に便蓋を形成したとしても、便蓋の形状全体が引き締まり、装置全体のコンパクト感を強調することができるとともに、一般的に狭いトイレ室においては、極めて有益な効果となる。
【００１６】
請求項４記載に係る発明は、蓋パネルを半透明とするもので、請求項３記載に係る発明と同様の作用効果を期待できる。
【００１７】
請求項５記載に係る発明は、便蓋と蓋パネルとの間に発光体を設け、蓋パネルは半透明にしたもので、夜間に使用する時の便器近傍の照明をすることが可能になるとともに、トイレ室の電灯をつけなくても適度な明かりにてトイレ室内を照明することも可能になり、使用者が暗闇で急に強い光を浴びたときのような目のくらみをなくすことができ、さらにトイレ室の電灯をつけないことで電気代を抑え、省エネ性の向上にもなる。
【００１８】
請求項６記載に係る発明は、便蓋と蓋パネルを同時に成形して多色に形成したもので、便蓋と蓋パネルとの間に隙間が生じないために、汚れや埃り等が殆ど溜まらず衛生的にできる。
【００１９】
請求項７記載に係る発明は、蓋パネルは便蓋の窪み部に嵌め込んで、接着材で貼り付ける、またはネジで取付ける、または前記蓋パネルの突起部を前記窪み部に貫通して潰し広げる、または前記蓋パネルの爪を前記窪み部に貫通して引っ掛ける等のいずれかの構成で取付けたものである。
【００２０】
上記実施の形態により、特に便蓋の窪み部に蓋パネルを嵌め込んで接着剤で貼り付けた場合は、製造時の作業時間を短縮させることができる。また、蓋パネルの突起部を便蓋の窪み部に貫通して潰し広げて取付けた場合は、便蓋と蓋パネルの位置関係をしっかり定着させることが可能となる。また、便蓋の窪み部に蓋パネルを嵌め込んでネジで取付けた場合は、便蓋と蓋パネルの位置関係がしっかりと固定され、さらに取付け取り外しが可能となる。また、蓋パネルの爪を便蓋の窪み部に貫通し引っ掛けて取付けた場合は、溶着等に必要な特殊な作業道具を必要とせず、さらにネジ等の部品も必要としないため、少ない作業工数で完成させることが可能であり、かつ取り外しが容易にできる。
【００２１】
請求項８記載に係る発明は、便蓋は枠状の便蓋外周体と前記便蓋外周体に囲まれた蓋パネルで形成し、前記便蓋外周体の一部に切断部と内周側面部に溝を設け、蓋パネルの外周側面部に前記溝に嵌る凸部を設け、前記切断部は溶着することにより、前記切断部より便蓋外周体を押し広げて前記溝に前記凸部を嵌め込んだ前記蓋パネルを固定したもので、余分な部品点数が減り、さらに溶接で接合することにより、頑丈に締結することが可能となる。
【００２２】
請求項９記載に係る発明は、便蓋と蓋パネルを同じ種の材料で形成し、前記蓋パネルを前記便蓋に溶着して取付けたもので、便蓋と蓋パネルの位置関係をしっかり定着させることが可能となり、さらに蓋パネルの裏側を溶着することによって、普段閉じられていて、表からよく見られる便蓋上面の見た目も綺麗にすることができる。
【００２３】
請求項１０記載に係る発明は、便器の後端部上に横長に設けるトイレ機能内蔵のトイレ本体と、前記トイレ本体に後端部を回転可能に設け、便器上に位置する倒立自在な便座と、前記トイレ本体に後端部を回転可能に設け、少なくとも前記便器および前記便座の上方を覆う倒立自在な便蓋とを備え、前記便蓋は少なくとも便座の外周側面を覆うとともに、前記便蓋は便蓋外周体と前記便蓋外周体に裏側から嵌め込んた蓋パネルと前記便蓋外周体に取付け、前記蓋パネルを固定する補強兼用の裏蓋パネルとで形成し、さらに前記蓋パネルと裏蓋パネルの間に発光体を設け、かつ前記便蓋外周体と前記蓋パネルと前記裏蓋パネルの色をそれぞれ異ならせたものである。
【００２４】
上記実施の形態によれば、便蓋は便器および便座の上方だけでなく、便座の外周側面も覆うので、便座が暖房用便座である場合、便座外周側面からの無駄な放熱を防止することが可能になるとともに、暖房用発熱体の容量を小さくすることも可能になる。また、便蓋は便蓋外周体と蓋パネルと補強兼用の裏蓋パネルとで形成し、一定の強度を保つとともに、断熱の作用も可能になる。
【００２５】
さらに、半透明の蓋パネルを使用することで、発光体により夜間の男性の小便時、便蓋を立てたときでも便器内を適度な明かりで照らすことにより、トイレ室の電灯をつける必要が無くなり、そのため使用者が暗闇で急に強い光を浴びたときのような目のくらみをなくすことができ、さらにトイレ室の電灯をつけないことで電気代を抑え、省エネ性の向上にもつながる。さらにまた、便蓋外周体と蓋パネルの色の違いで便蓋の形状の引き締まりで装置全体のコンパクト感を強調することが可能になる。
【００２６】
【実施例】
以下本発明のトイレ装置につき、図１〜図１１を参照しながら説明する。
【００２７】
（実施例１）
図１は、本発明のトイレ装置の一部を透視して示す斜視図で、図２はトイレ装置の一部を透視して示す上面図で、図３はトイレ装置の便座と便蓋部分を図２のＡ−Ａ線で断面して示す概略拡大断面図で、図４はトイレ装置の便座と便蓋の部分を分解して示す斜視図で、図５〜８はトイレ装置の便座と便蓋部分を図２のＡ−Ａ線での断面に対応して、それぞれ他の例を示す概略拡大断面図で、図９は図８のトイレ装置の便座と便蓋部分を示す分解斜視図で、図１０は図９のＢ−Ｂ線で断面して示す概略拡大断面図である。
【００２８】
図１〜図１０において、トイレ装置は、便器１上に設けた便座２と、便蓋３と、便座２と便蓋３の後端部を軸で支持し、便器１上に便座２と便蓋３を倒立自在で、かつ開閉自在に取付け、便器１の後端部上に設置した横長のトイレ本体４を備えている。便座２は大きな輪状で、用便者が安定して着座するのに必要な大きさに設定され、かつ暖房用の電気ヒータ等の発熱体２ａを埋設している。
【００２９】
便蓋３は、便器１、便座２とトイレ本体４の上部および便座２の外周側面を覆い、かつ上面が僅かに円弧面を成した略平らな一枚ものの大きさに設定され、便座２だけでなくトイレ本体４にも埃がかからないようにして、略平らな一枚ものの便蓋３を拭くだけで通常の掃除が簡単に済ませられるように構成している。
【００３０】
また、便蓋３は便座２とトイレ本体４の上面および外周側面を覆っているため便座２の発熱体２ａよる暖房熱が便蓋３と便座２の間に生じている空間５にこもることによって、便座２の外周側面から無駄な放熱を防ぎ、かつ発熱体２ａの容量も小さくできても充分に暖房が得られ、省エネルギーを図れるようにしている。
【００３１】
一方、このように便蓋３は、便座２の上方だけを覆う従来の便蓋よりトイレ本体４および便座２の外周側面を覆う分だけ全体形状が大きくしているので、一般的に狭いトイレ室に設置されたトイレ装置にあっては、便蓋３そのものの面積が装置全体の平面積になってしまうので、トイレ室を狭く感じさせてしまう恐れがある。
【００３２】
そこで、便蓋３は掃除がし易くて、かつ全体形状が引き締まって見えるようにするため本実施例では、便蓋３を次のように構成している。すなわち、合成樹脂で成形した便蓋３は、便蓋外周部６と便蓋外周部６に囲まれた内周部である透明なアクリル樹脂で成形した蓋パネル７の２部品に分割して構成し、かつ便蓋外周部６と蓋パネル７に着色して色を異ならせ、全体形状が引き締まって見えるようにしている。そして、この２部品の便蓋外周部６と蓋パネル７において、蓋パネル７は便蓋外周部６に次のような構成で取付ける。
【００３３】
すなわち、図３、図４に示すように便蓋３の構成は、別個に成形して便蓋上面に便蓋外周部６を残して窪み部８を形成し、この窪み部８に別個に成形してある蓋パネル６の裏面に両面テープ等の接着材９を設けて嵌め込んで取付ける。このような取付け状態で、接着材９は断熱層の働きも兼ねさせることが可能である。
【００３４】
従って、補強用の裏蓋パネル等を必要とせずに、便蓋外周部６と一体の窪み部８の作用により一定の強度を保って２部品の簡単な構成に仕上げることができ、かつ製造時の作業時間を短縮させることができる。また蓋パネル７の締結の方法はこの限りではなく、インサート成型や２色成型等で便蓋３と異なった色の樹脂を蓋パネルの変わりとして成形する方法もある。
【００３５】
続いて、蓋パネル７を便蓋外周部６に取付ける上記以外の構成について説明する。すなわち、蓋パネル７をネジで取付ける構成は、図５に示すように蓋パネル７にネジ穴７ａを設け、さらに便蓋外周部６の窪み部８にネジ１０が貫通する大きさの孔３ａを設け、そして窪み部８に蓋パネル７を便蓋外周部６の表側から嵌め込んで裏側からネジ１０を孔３ａ、ネジ穴７ａに締め付けて蓋パネル７と便蓋外周部６を固定し完成させる。
【００３６】
この蓋パネル７の取付けでは、便蓋外周部６と蓋パネル７の位置関係がしっかりと固定され、さらにネジ１０の取り外しにより、容易に蓋パネル７の交換が可能となり、季節、または使用者の気分により、用意してある別の色の蓋パネルを備え付けることが可能となり、利用範囲を広げられる。
【００３７】
また、蓋パネル７を便蓋外周部６に取付ける他の構成は、図６に示すように蓋パネル７の裏面に複数の溶着用の突起部７ｂを一体に設け、さらに便蓋外周部６の窪み部８に突起部７ｂが貫通する大きさの孔３ｂを設け、そして窪み部８に蓋パネル７を便蓋３の表側から嵌め込んで孔３ｂを貫通した突起部７ｂを便蓋３の裏側から潰し広げて蓋パネル７を便蓋外周部６に固定し完成させる。この取付けでは、便蓋３と蓋パネル７の位置関係をしっかり定着させることが可能となり、突起部７ｂを潰し広げる手段は熱溶着や超音波溶着等の種々の手段を実施できる。
【００３８】
また、蓋パネル７を便蓋外周部６に取付ける他の構成は、図７に示すように蓋パネル７の裏面に爪７ｃを一体に設け、便蓋外周部６の窪み部８に爪７ｃが縮小変形しながら貫通する大きさの孔３ｃを設け、そして窪み部８に蓋パネル７を便蓋３の表側から嵌め込んで孔３ｃを縮小変形して貫通した爪７ｃを便蓋３の裏側に係止させて蓋パネル７を便蓋外周部６に固定し完成させる。この取付けでは、溶着等に必要な特殊な作業道具を必要とせず、さらにネジ等の部品も必要としないため、少ない作業工数で完成させることが可能であり、かつ取り外しが容易にできる。
【００３９】
また、蓋パネル７を便蓋外周部６に取付ける他の構成は、図８〜図１０に示すように合成樹脂の便蓋３を、合成樹脂の蓋パネル７の大きさでくりぬいた枠状の便蓋外周体６ａと、便蓋外周体６ａに囲まれた蓋パネル７で形成し、便蓋外周体６ａの先端部に図１０に示すように段差のある切断部６ｂと内周側面部に溝６ｃを設けている。蓋パネル７は、その外周側面部に溝６ｃに嵌る凸部７ｄを一体に設けている。
【００４０】
そして、切断部６ｂを持って枠状の便蓋外周体６ａを左右外側に押し広げて、便蓋外周体６ａの溝６ｃに蓋パネル７の凸部７ｄを嵌め込み、かつ切断部６ｂを溶着して蓋パネル７を便蓋外周体６ａに固定したものである。これにより、余分な部品点数が減り、さらに溶接で接合することにより、頑丈に締結することが可能となる。
【００４１】
なお、図５〜図７に示す蓋パネル７を便蓋外周部に取付ける各構成において、１１は蓋パネル７と窪み部８の間に形成した断熱のための空気層で、１２は空気層１１を確保するため、蓋パネル７の裏面に設けたスペーサである。そして、空気層１１、接着剤９による層を利用して発光体（図示せず）を設けて便器１の近傍の照明を行なうようにしてもよい。
【００４２】
以上のように本実施例では、便蓋３は便器１および便座２の上方だけでなく、便座２の外周側面も覆うので、便座２が暖房用便座である場合、便座外周側面からの無駄な放熱を防止するとともに、空間５に暖かい空気を溜められ、暖房用発熱体２ａの容量を小さくすることができ、省エネルギーを図ることができる。
【００４３】
また、本実施例では、便蓋上面を窪ました窪み部８を有する便蓋外周部６と窪み部８に蓋パネル７を嵌め込んで取付けた２部品で便蓋を構成しているので、窪み部８を有する便蓋外周部６と蓋パネル７により、一定の強度のある簡単な構成にでき、さらに便蓋外周部６と蓋パネル７の色を異ならせ、便蓋の形状の引き締まりで装置全体のコンパクト感を強調することが容易にでき、特に便座２の上方だけでなく外周側面およびトイレ本体４も覆う略平らな大きな便蓋にした場合でも、コンパクト感を強調でき、意匠性に優れた便蓋を提供することができる。
【００４４】
さらに、蓋パネル７と便蓋外周部６の窪み部８の間に接着剤９または空気層１１を設けているので、接着剤９または空気層１１が断熱材の役割を果たし便座２からの放熱を抑え、更なる省エネ効果を発揮することができる。
【００４５】
さらに、便蓋外周部６の窪み部８と蓋パネル７との間に発光体を設け、蓋パネルは半透明にしたもので、夜間に使用する時の便器近傍の照明をすることができるとともに、トイレ室の電灯をつけなくても適度な明かりにてトイレ室内を照らすこともでき、使用者が暗闇で急に強い光を浴びたときのような目のくらみをなくすことができ、そしてトイレ室の電灯をつけないことで電気代を抑え、省エネ性の向上にもなる。
【００４６】
なお、本実施例では図３〜図８に示す構成で以って蓋パネル７を便蓋外周部６、便蓋外周体６ａに取付けているが、便蓋と蓋パネルを同じ種の材料で形成し、前記蓋パネルを前記便蓋に溶着して取付ける構成、または便蓋と蓋パネルを同時に成形して多色に形成する構成であっても良いものである。
【００４７】
（実施例２）
図１１は、本発明の実施例２におけるトイレ装置の便蓋の断面図である。本実施例は、便蓋を便蓋外周体と蓋パネルと裏蓋パネルの３部品で構成している点で実施例１の発明と異なり、それ以外の同一構成並びに作用効果を奏するところには同一符号を付して詳細な説明を省略し、異なるところを中心に説明する。
【００４８】
便蓋３は、枠状の便蓋外周体６ａと便蓋外周体６ａに裏側から嵌め込んだ蓋パネル７と便蓋外周体６ａに取付け、蓋パネル７を固定する補強兼用の裏蓋パネル１３とで形成している。さらに蓋パネル７と裏蓋パネル１３の間には、断熱用の空気層１１を設け、かつこれを利用して照明用の発光体１４を設け、かつ便蓋外周体６ａと蓋パネル７と裏蓋パネル１２の色をそれぞれ異ならせている。
【００４９】
裏蓋パネル１３は蓋パネル６と類似形で、便蓋外周体６ａとの溶着性向上のため同一材料であり、さらにトイレ室内では酸性やアルカリ性の不統一な洗剤が用いられるため、耐薬品性に優れた、ポリプロピレンで成形され、複数の補強リブ１５で蓋パネル７を裏側から補強し、振動溶着で便蓋外周体６ａと蓋パネル７との接合部１６を固着して蓋パネル７を便蓋外周体６ａとで挟持して固定する。しかし、このときの材料はポリプロピレンに限られるわけではない。
【００５０】
また裏蓋パネル１３は便蓋外周体６ａと蓋パネル７のそれぞれと異なる着色をして、便蓋３を開いて直立させた時においても、便蓋３の全体形状が引き締まって見えるようにしている。
【００５１】
上記実施例において、便蓋３は予め成形しておいた便蓋外周体６ａに、同じく予め成形しておいた蓋パネル７を裏側から嵌合し、続いて裏蓋パネル１３を蓋パネル７に下側からあてがい、さらに両者の接合部１６に振動を与え摩擦による熱で溶着し、蓋パネル７を固定して完成する。
【００５２】
なお、各実施例では便蓋３を、便器１および便座２とトイレ本体４の上方と便座２の外周側面を覆う大きさに形成しているが、少なくとも便器および便座の上方と便座の外周側面を覆う大きさであれば、本実施例と同様の作用効果を期待できるものである。また、便蓋３は便座２の外周側面を覆う大きさに形成しているが、さらに便器１の上部外周側面を覆う大きさに形成しても、本発明の目的を達成する上で何ら支障のないものである。さらに、トイレ本体４のトイレ機能とは、トイレ本体４より出没して便座に着座した人体の局部に温水を噴射して洗浄する装置である。
【００５３】
また絵を描いた蓋パネルを使い、さらに蓋パネルは付け替え可能にすることにより、和風や洋風などの、どんなトイレ空間にもマッチしたトイレ装置を提供することもできる。
【００５４】
【発明の効果】
以上のように本発明によれば、便座の外周側面も覆う便蓋により、便座外周側面からの無駄な放熱を防ぐことができ、省エネ性を向上させることがでる。
【図面の簡単な説明】
【図１】本発明の実施例１におけるトイレ装置の一部を透視して示す斜視図
【図２】同実施例１におけるトイレ装置の一部を透視して示す上面図
【図３】同実施例１における図２のＡ−Ａ線で断面し便蓋部分を示す概略拡大断面図
【図４】同実施例１におけるトイレ装置の便座と便蓋を分解して示す斜視図
【図５】同実施例１における図２のＡ−Ａ線で断面した便蓋部分の他の例を示す概略拡大断面図
【図６】同実施例１における図２のＡ−Ａ線で断面した便蓋部分の他の例を示す概略拡大断面図
【図７】同実施例１における図２のＡ−Ａ線で断面した便蓋部分の他の例を示す概略拡大断面図
【図８】同実施例１における図２のＡ−Ａ線で断面した便蓋部分の他の例を示す概略拡大断面図
【図９】図８に示す便蓋の他の例を採用したトイレ装置の分解斜視図
【図１０】図９のＢ−Ｂ線で断面した便座部分を示す概略拡大断面図
【図１１】本発明の実施例２におけるトイレ装置の便蓋部分を示す概略拡大断面図
【図１２】従来のトイレ装置を示す斜視図
【図１３】図１２のＢ―Ｂ線における要部の側断面図
【符号の説明】
１  便器
２  便座
３  便蓋
４  トイレ本体
６  便蓋外周部
６ａ  便蓋外周体
６ｂ  切断部
６ｃ  溝
７  蓋パネル
７ｂ  突起部
７ｃ  爪
８  窪み部
９  接着材
１０  ネジ
１１  空気層
１２  裏蓋パネル
【図１】
2004321203.tif 000003
【図２】
2004321203.tif 000004
【図３】
2004321203.tif 000005
【図４】
2004321203.tif 000006
【図５】
2004321203.tif 000007
【図６】
2004321203.tif 000008
【図７】
2004321203.tif 000009
【図８】
2004321203.tif 000010
【図９】
2004321203.tif 000011
【図１０】
2004321203.tif 000012
【図１１】
2004321203.tif 000013
【図１２】
2004321203.tif 000014
【図１３】
2004321203.tif 000015